(57)【特許請求の範囲】
【請求項１】
カメラ本体を構成する本体構成部材と、
上記本体構成部材に結合されるファインダユニットと、
この本体構成部材の上面もしくは下面に穿設され、該上面もしくは下面を形成する部材を貫通する貫通孔と、
上記本体構成部材の前端面もしくは後端面に、上記貫通孔が該前端面もしくは後端面に延長されることにより形成される開口と、
上記開口の側縁に架設された補強部材と、
を具備したことを特徴とするカメラ。
【発明の詳細な説明】
【０００１】
【発明の属する技術分野】
この発明は、カメラ、詳しくはカメラの本体構成部材、つまりカメラボディに関するものである。
【０００２】
【従来の技術】
周知のように、カメラボディとしての本体構成部材は従来、ボックス形状に形成され、これにやはり箱型形状に形成されたファインダユニット等の各ユニットを組み合わせてビス等により、両者を一体的に結合するように構成していた。
【０００３】
図５，図６は、この種、カメラボディの第１の従来例を示す概略図であり、図５はカメラの本体構成部材１の正面図、図６は本体構成部材１の平面図である。この両図に示すように、本体構成部材１はボックス形状に形成され、その前面の略中央部にはズームレンズユニット等を取り付けるための円形の開口部１ａが穿設されており、これに対向する後面にはアパーチャ１ｂが穿設されている。
また、本体構成部材１内の、上記開口部１ａの左方には、フィルムパトローネ室１ｄが設けられ、本体構成部材１内の、上記開口部１ａの右方には、フィルム巻上室（スプール室）１ｃが設けられている。
【０００４】
そして、この本体構成部材１には、その上面のほぼ中程にファインダユニット２がビス等によって結合され一体化されるようになっている。上記ファインダユニット２には、図示されないがファインダ光学系やＡＦ（オートフォーカス）用の投光部及び受光部等が搭載されている。
【０００５】
本体構成部材１は、このように形成されてカメラの内側の基幹となる構造物を構成している。従って、この第１の従来例の本体構成部材１の上面および下面には、その前面，後面および側面等に向けて連続するような開口部は設けられていない。
【０００６】
図７，図８は、この種、カメラボディの第２の従来例を示した概略図であって、図７はカメラの本体構成部材１１の正面図、図８は本体構成部材１１の平面図である。この第２の従来例においては、本体構成部材１１は上面に結合されるファインダユニット１２をスペース効率よく取り付けるために、その上面のフィルムパトローネ室１１ｄ寄りの部分に上面壁を貫通する長方形状の貫通孔１１ｅが穿設されており、この貫通孔１１ｅは本体構成部材１１の前端面に向けて延長されることにより、本体構成部材１１の前端面には開口１１ｆが形成される。
【０００７】
このように貫通孔１１ｅを設け、ファインダ光学系やＡＦ用の投光部及び受光部等が搭載されているファインダユニット１２を、本体構成部材１１の上面のほぼ中程に載置し、上記貫通孔１１ｅ内に同ユニット１２の一部を落とし込んで、ビス等によって同ユニット１２を本体構成部材１１に結合すれば、カメラ本体は小型になる。その他の構成は、上記第１の従来例と同様である。即ち、ボックス形状に形成された本体構成部材１１の前面の略中央部にズームレンズユニット等を取り付けるための円形の開口部１１ａが穿設されていて、これに対向する後面にはアパーチャ１１ｂが穿設されている。そして、本体構成部材１１内の、上記開口部１１ａの左方にフィルムパトローネ室１１ｄが、また右方にフィルム巻上室（スプール室）１１ｃがそれぞれ設けられている。
【０００８】
第２の従来例の本体構成部材１１は、このように形成されてカメラの内側の基幹となる構造物を構成しているが、この第２の従来例の本体構成部材の上面には、その前面に向けて延び出し、同前面に開口１１ｆを形成させるユニット組込用の貫通孔１１ｅが設けられている。
【０００９】
【発明が解決しようとする課題】
ところで、上述したように構成されている上記第１の従来例においては、本体構成部材および各ユニットをボックス構造とし、それらを組み合わせて一体化するように構成しているため、カメラが大型化してしまうという欠点がある。この点、上記第２の従来例のように、本体構成部材の上面にユニット組込用の貫通孔を設け、これにファインダユニット等を取り付けるようにすると、カメラを小型化することができる。
【００１０】
ところが、このように本体構成部材に貫通孔を設けると、本体構成部材の強度が低下し、撮影レンズのズーミング時やフォーカシング時等にレンズを移動させる駆動力がファインダユニットに伝達され、同ユニットが変形してファインダ像が揺れるとか、ズーミングの位置によってＡＦデータがズレるとかの問題が発生する。
【００１１】
本発明の目的は、このような従来の問題を除去し、本体構成部材、即ちカメラボディの強度を低下させることなく、小型のカメラを提供することにある。
【００１２】
【課題を解決するための手段】
前述した目的を達成するために、本発明によるカメラは、カメラ本体を構成する本体構成部材と、上記本体構成部材に結合されるファインダユニットと、この本体構成部材の上面もしくは下面に穿設され、該上面もしくは下面を形成する部材を貫通する貫通孔と、上記本体構成部材の前端面もしくは後端面に、上記貫通孔が該前端面もしくは後端面に延長されることにより形成される開口と、上記開口の側縁に架設された補強部材とを具備したことを特徴とする。
【００１３】
【発明の実施の形態】
以下、本発明の実施の形態を、図示の例によって説明する。
図１，２は、本発明の第１の実施の形態を示したカメラにおける本体構成部材の正面図および平面図である。
【００１４】
この第１の実施の形態における本体構成部材２１の構成は、前述した上記第２の従来例における本体構成部材１１と殆ど同様に構成されている。即ち、本体構成部材２１は横長の長方形状のボックス型を呈しており、このボックス形状に形成された本体構成部材２１の前面の略中央部にズームレンズユニット等を取り付けるための円形の開口部２１ａが穿設されており、これに対向する後面にはアパーチャ２１ｂが穿設されている。また、本体構成部材２１内の、上記開口部２１ａの左方にフィルムパトローネ室２１ｄが、また右方にフィルム巻上室（スプール室）２１ｃがそれぞれ設けられている。
【００１５】
そして、本体構成部材２１の上面に取り付けるファインダユニット２２をスペース効率よく結合するために、その上面のフィルムパトローネ室２１ｄ寄りの部分に上面壁を貫通する前後方向に長い長方形状の貫通孔２１ｅが穿設される。この貫通孔２１ｅは本体構成部材２１の前端面に向けて延長されることにより、本体構成部材２１の前端面には開口２１ｆが形成される。つまり、この開口２１ｆは、本体構成部材２１を前面から後面に向かって切り欠いた切欠によって構成されている。
【００１６】
このように設けられた貫通孔２１ｅには、本体構成部材２１の上面のほぼ中程に載置されて、内部にファインダ光学系やＡＦ用の投光部及び受光部等（投光部と受光部はいずれか一方でもよい）が搭載されているファインダユニット２２の一部を落とし込むと共に、同ファインダユニット２２を本体構成部材２１の上面のほぼ中程に載置し、ビス等によって同ユニット２２を本体構成部材２１に結合する。
【００１７】
そして、上記開口２１ｆに対しては、同開口２１ｆを橋渡しするようにつなぎ、両端部を開口２１ｆの側縁に架設された補強部材２３が設けてある。この補強部材２３は、高強度（剛性）プラスチックや金属等の強固な材質の部材を図示の如く部分円弧状、あるいは棒状に形成して、本体構成部材２１の前面における開口２１ｆの両端を連結するように架設され、その両端部は本体構成部材２１の前面に接着，ロー付，ビス止等によって固着される。
【００１８】
このように構成された第１の実施の形態によれば、穿設された開口２１ｆによる本体構成部材２１の強度の低下は、開口２１ｆを橋渡しするようにつなぐ補強部材２３によって補強されるので、本体構成部材２１の強度の低下を招くことなく、カメラ本体を小型に構成することができる。
【００１９】
図３，４は、本発明の第２の実施の形態を示したカメラにおける本体構成部材の正面図および平面図である。
【００２０】
この第２の実施の形態における本体構成部材３１の構成は、上述した第１の実施の形態における本体構成部材２１の構成と殆ど同様であり、補強部材３３のみが異なる。従って、第１の実施の形態における本体構成部材２１の構成と同様の構成を有する部材には、数字の１０を足した符号を付すに止め、その説明が重複するのを避ける。
【００２１】
本実施の形態における補強部材３３は、やはり、高強度（剛性）プラスチックや金属等の強固な材質の部材で構成され、その形状はリング状に形成される。そして、このリング状の補強部材３３は、本体構成部材３１の前面の略中央部に設けられた、撮影光束が通過する円筒状空間、つまりズームレンズユニット等を取り付けるための円形の開口部３１ａの前側縁を囲うように配置され、本体構成部材３１の前面に接着，ロー付，ビス止等によって固着される。
【００２２】
このように構成した第２の実施の形態によれば、リング状の補強部材３３の一部が穿設された開口３１ｆを橋渡しするようにつなぐので、これによって本体構成部材３１は補強され、本体構成部材３１の強度の低下を招くことなく、カメラ本体を小型に構成することができる。
【００２３】
なお、上記第１および第２の実施の形態においては、貫通孔２１ｅ，３１ｅはファインダユニット２２，３２を取り付けるために、本体構成部材２１，３１の上面に設け、この貫通孔２１ｅ，３１ｅが前面まで延長されることにより前面に開口２１ｆ，３１ｆが形成されるものについて述べたが、これはフィルム巻上用駆動ユニットを本体構成部材２１，３１の下面に取り付ける場合や、ストロボユニットを本体構成部材２１，３１の側面に取り付ける場合には、貫通孔を本体構成部材２１，３１の下面や側面に穿設し、この貫通孔を本体構成部材の上面，下面，前端面もしくは後端面に延長することにより開口を形成し、この開口に対して同開口を橋渡しするように、補強部材を設けるようにすればよい。
【００２４】
『付記』
以上詳述した本発明の実施態様によれば、以下のごとき構成が得られる。即ち（１）開口を有する本体構成部材と、
上記開口に架設された補強部材と、
を具備したことを特徴とするカメラ。
【００２５】
（２）カメラ本体を構成する本体構成部材と、
この本体構成部材の上面もしくは下面に穿設され、該上面もしくは下面を形成する部材を貫通する貫通孔と、
上記本体構成部材の前端面もしくは後端面に、上記貫通孔が該前端面もしくは後端面に延長されることにより形成される開口と、
この開口の側縁に架設された補強部材と、
を具備したことを特徴とするカメラ。
【００２６】
（３）上記（１）において、上記開口は、上記本体構成部材を、前面と後面の一方から他方に向かって切り欠いた切欠により構成される。
【００２７】
（４）上記（１）において、上記開口は、上記本体構成部材の上面に設けられている。
【００２８】
（５）上記（１）において、上記開口は、上記本体構成部材の下面に設けられている。
【００２９】
（６）上記（４），（５）において、上記開口は、上記本体構成部材の側面まで達するものであり、上記補強部材は該側面に設けられている。
【００３０】
（７）上記（６）において、上記補強部材は、上記側面における開口の両端を連結するように架設されている。
【００３１】
（８）上記（４），（５）において、上記開口は、上記本体構成部材の前面まで達するものであり、上記補強部材は該前面に設けられている。
【００３２】
（９）上記（１）において、上記開口は、上記本体構成部材の側面に設けられている。
【００３３】
（１０）上記（２）において、上記貫通孔には、カメラの一部を構成する他の構成部材の少なくとも一部が挿入される。
【００３４】
（１１）上記（１），（２）において、上記補強部材は、棒状に形成されている。
【００３５】
（１２）上記（１１）において、上記補強部材は、上記前面における開口の両端を連結するように架設されている。
【００３６】
（１３）上記（１），（２）において、上記補強部材は、リング状に形成されている。
【００３７】
（１４）上記（１３）において、上記補強部材は、上記本体構成部材に設けられた、撮影光束が通過する円筒状空間の前側縁を囲うように配置される。
【００３８】
（１５）上記（１），（２）において、上記補強部材は、高強度プラスチックにて形成されている。
【００３９】
（１６）上記（１），（２）において、上記補強部材は、金属にて形成されている。
【００４０】
【発明の効果】
以上述べたように本発明によれば、本体構成部材に取り付けられるユニット部材の一部を落とし込むために穿設された開口による本体構成部材の強度の低下を、開口を橋渡しするようにつなぐ補強部材によって補強されるので、本体構成部材の強度の低下を招くことなく、カメラ本体を小型化することができる。
【図面の簡単な説明】
【図１】本発明の第１の実施の形態を示したカメラにおける本体構成部材の正面図。
【図２】上記図１の本体構成部材の平面図。
【図３】本発明の第２の実施の形態を示したカメラにおける本体構成部材の正面図。
【図４】上記図３の本体構成部材の平面図。
【図５】第１の従来例を示すカメラにおける本体構成部材の正面図。
【図６】上記図５の本体構成部材の平面図。
【図７】第２の従来例を示すカメラにおける本体構成部材の正面図。
【図８】上記図７の本体構成部材の平面図。
【符号の説明】
２１，３１………………本体構成部材
２１ｅ，３１ｅ…………貫通孔
２１ｆ，３１ｆ…………開口
２３，３３………………補強部材
【図１】
0003548303.tif 000002
【図２】
0003548303.tif 000003
【図３】
0003548303.tif 000004
【図４】
0003548303.tif 000005
【図５】
0003548303.tif 000006
【図６】
0003548303.tif 000007
【図７】
0003548303.tif 000008
【図８】
0003548303.tif 000009